(57)【要約】      （修正有）【課題】照明源としての単純な発光ダイオード（ＬＥＤ）と透明プラスチックフィルムとを利用することによりＬＥＤ壁用プレート常夜灯を提供する。【解決手段】ＬＥＤ光線が透明プラスチックフィルムを通過すると、高速でクリアな光線を発生させる。透明プラスチックフィルムにより、光線は均一に分散した発光となる。【選択図】図９
0003114280.tif 000002
【実用新案登録請求の範囲】
【請求項１】
前面パネルと背面パネルとで構成されるハウジングと、
前記ハウジングの少なくとも一部分を囲繞する所望の光線輪郭へＬＥＤ発光光線を集束および分散させるための光学アセンブリを含む保護用カバーと、
発光体としての少なくとも１個の発光ダイオード（ＬＥＤ）と、
複数のポリエステルカバーコンデンサと複数の抵抗体とを備える複数の回路板と、
前記回路板に固定されるとともに、該回路板が前記前面パネルと前記背面パネルとの間に固定された状態で該背面パネルの下部分の２個の保持部を通過する複数の金属製電力プラグと、
少なくとも１枚の透明フィルムと、
少なくとも１枚の保護用半透明フィルムと、
少なくとも１枚の白色フィルムと、
を含むＬＥＤ壁用プレート常夜灯。
【請求項２】
前記回路板が、
複数の金属ポリエステル製被覆コンデンサと、
複数の抵抗体と、
少なくとも１個のダイオードおよび複数の発光ダイオードと、
を含む請求項１に記載のＬＥＤ壁用プレート常夜灯。
【請求項３】
前記ＬＥＤ壁用プレート常夜灯が、何らかの公共事業体によって提供されるＡＣ（交流）の壁コンセントから直接に電源を取ることができる請求項１に記載の回路板。
【請求項４】
前記前面パネルと前記背面パネルとが所定の寸法と形状を持たない請求項１に記載のＬＥＤ壁用プレート常夜灯。
【請求項５】
前記前面パネルの表面が、所定の寸法および形状を持つディスプレイ窓部を有して、該穴の該所定の寸法および形状と一致する透明プラスチックフィルムを含む請求項１に記載のＬＥＤ壁用プレート常夜灯。
【請求項６】
電流が前記金属製電力プラグを通って、前記発光ダイオードを起動させるレベルまで１２０ボルト数低下させる回路構成へ流れると、光線が発せられ、該光線が前記透明フィルムを通過し、高速光線を発生させ、該透明プラスチックフィルムによって該光線が均一に分散した発光となって、安全で信頼できる照明方法が得られる請求項１に記載のＬＥＤ壁用プレート常夜灯。
【請求項７】
前面パネルと背面パネルとで構成されるハウジングと、
前記ハウジングの少なくとも一部分を囲繞する所望の光線輪郭へＬＥＤ発光光線を集束および分散させるための光学アセンブリを含む保護用カバーと、
発光体としての少なくとも１個の発光ダイオード（ＬＥＤ）と、
複数のポリエステルカバーコンデンサと複数の抵抗体とを備える複数の回路板と、
前記回路板に固定され、該回路板が前記前面パネルと前記背面パネルとの間に固定された状態で該背面パネルの下部分の２個の保持部を通過する複数の金属製電力プラグと、
少なくとも１枚の透明フィルムと、
少なくとも１枚の保護用半透明フィルムと、
少なくとも１枚の白色フィルムと、
を含み、
前記回路板が、
複数の金属ポリエステル製被覆コンデンサと、
複数の抵抗体と、
少なくとも１個のダイオードおよび複数の発光ダイオードと、
を含むＬＥＤ壁用プレート常夜灯。
【請求項８】
複数の金属製電力プラグと、
複数の金属ポリエステル製被覆コンデンサと、
複数の抵抗体と、
少なくとも１個のダイオードおよび複数の発光ダイオードと、
を含み、
電流が前記金属製電力プラグを通って、前記発光ダイオードを起動させるレベルまで１２０ボルト数低下させる回路構成へ流れると光線が発せられ、該光線が前記透明フィルムを通過して高速光線を発生させ、該透明プラスチックフィルムによって光線が均一に分散した発光となり、安全で信頼できる照明方法が得られるＬＥＤ壁用プレート常夜灯の回路板。
【請求項９】
前記ＬＥＤ壁用プレート常夜灯が、何らかの公共事業体によって提供されるＡＣ（交流）の壁コンセントから直接に電源を取ることができる請求項７に記載の回路板。
【請求項１０】
前記ＬＥＤ壁用プレート常夜灯が、公共事業体によって提供されるＡＣ（交流）の壁コンセントから直接に電源を取ることができる請求項８に記載の回路板。
【考案の詳細な説明】
【技術分野】
【０００１】
本考案は、ＬＥＤ壁用プレート常夜灯に関連し、さらに詳しくは、照明源としての単純な発光ダイオード（ＬＥＤ）と透明プラスチックフィルムとを利用することによる薄型アセンブリを備えるＬＥＤ壁用プレート常夜灯に関連する。ＬＥＤ光線が透明プラスチックフィルムを通過すると、高速でクリアな光線を発生させる。透明プラスチックフィルムによって光線は、均一に分散した発光となり、安全で信頼できる照明方法が得られる。
【０００２】
本出願は、２００４年６月２５日に開示された開示書類番号第５５６０５７号の開示書類提出のための非暫定的な特許出願である。
【背景技術】
【０００３】
従来の常夜灯は、小型で便利な可動式の「パック」ライトの形であることが多い。パックライトは、丸型であることが多く、最小限の手間で設置や移動が可能であるため、このように呼ばれる。これらのライトは概して、蛍光灯または白熱灯を光源として利用する。蛍光灯と白熱灯は一般的に、フィラメントと陰極管とを動作に必要とする。そのために壊れやすく、寿命が比較的短い。さらにフィラメントランプの動作はあまり経済的でない。そのうえ、フィラメントの加熱により光線を発することで、白熱灯は多量の熱を発生させる。安全上の問題と、調理台の上の物品を思いがけず間違って加熱する可能性があるため、この熱の発生は従来の常夜灯の有効性を制限する。この熱の発生はまた、従来のパックライトが所望される箇所は熱の大量発生に対処できない（例えばクローゼット、棚など）という点で、このようなライトの用途を狭くする。さらに、従来の白熱灯と蛍光灯はかなり非効率的である。白熱灯は大量のエネルギーを光線でなく熱に変換し、蛍光灯は点灯時の電力消費量が比較的高い。したがって、より効率的な照明を行う新たな方法が望まれる。
【０００４】
特許文献１に開示されているように、常夜灯は概して、壁のコンセントに直接差し込まれる突起を有するベース部分で構成される。ベース部分はワット数の低い電球を収容する延長首部を有する。プラスチック製のシェードまたはキャノピーが電球に嵌着し、このような構造によって、非常にかさばる装置の常夜灯となる。
【０００５】
白色光ＬＥＤシステムは、従来の蛍光灯および白熱灯に対して大きな利点を持つ。白色光ＬＥＤシステムはより改良され、効率的となっているので、このようなシステムの利用を他の分野、例えば常夜灯へ拡張する必要性が存在する。常夜灯に使用される従来の蛍光灯および白熱灯は、多数の部品を有して（製造コストを高くし）、壊れやすく、寿命が比較的短い。
【０００６】
特許文献２には、ＬＥＤモジュールつまりハウジングと取付ベースとを含む照明システムが開示されている。複数のＬＥＤが、光源として作用するようにモジュールに取り付けられて光線パターンを発生させる。少なくとも１個の光学アセンブリが、光線パターンを集束および分散させるためハウジングと連動している。ハウジングはベースユニットへの着脱が容易であって、可撓性取付構造が得られる。しかし、やはりこのＬＥＤ照明システムではベースが必要とされることにより、生産コストが高くなり、このようにかさばるＬＥＤ照明装置が不可欠である。
【０００７】
特許文献３では、略平面から延出するスイッチプレートへの嵌着に適した壁用プレートを含む常夜灯アセンブリが提供される。常夜灯を最終動作位置へ取り付ける際に、壁用プレートは略平面と嵌合および当接する。常夜灯の光源として作用する少なくとも１個の発光ダイオード（ＬＥＤ）が壁用プレート内に取り付けられる。この特許はよりスリムな常夜灯を提供する方法を示唆しているが、従来ＬＥＤの性質のため、このようなＬＥＤ照明の寿命が比較的短いことが、未解決の問題として残っている。
【０００８】
【特許文献１】米国特許第４，３４３，０３２号
【特許文献２】米国特許第６，６４１，２８３号
【特許文献３】米国特許第６，６４８，４９６号
【考案の開示】
【考案が解決しようとする課題】
【０００９】
本考案の主な目的は、薄くスリムな壁用プレート常夜灯装置を提供するように、照明源としての単純な発光ダイオード（ＬＥＤ）と透明プラスチックフィルムとを利用することによりＬＥＤ壁用プレート常夜灯を提供することである。
【００１０】
本考案の別の目的は、照明源としての単純な発光ダイオード（ＬＥＤ）と透明プラスチックフィルムとを利用することによりＬＥＤ壁用プレート常夜灯を提供することである。ＬＥＤ光線が透明プラスチックフィルムを通過すると、高速でクリアな光線を発生させる。透明プラスチックフィルムにより、光線は均一に分散した発光となり、安全で信頼できる照明方法が得られる。
【００１１】
本考案の別の目的は、生産コストが最低の薄型ＬＥＤ壁用プレート常夜灯を実現するように、キャノピー、ベース、そしてスイッチプレートなど、常夜灯にとって不要な部品をすべて省略することにより、ＬＥＤ壁用プレート常夜灯を提供することである。
【課題を解決するための手段】
【００１２】
上記目的を達成するため、本考案は、前面パネルと背面パネルとで構成されるハウジングと、ハウジングの少なくとも一部分を囲繞する所望の光線輪郭へＬＥＤ発光光線を集束および分散させるための光学アセンブリを含む保護用カバーと、発光体としての少なくとも１個の発光ダイオード（ＬＥＤ）と、複数のポリエステル製カバーコンデンサと複数の抵抗体と複数の金属製電力プラグとを備える複数の回路板と、少なくとも１枚の透明フィルムと、少なくとも１枚の保護用半透明フィルムと、少なくとも１枚の白色フィルムと、を含む、ＬＥＤ壁用プレート常夜灯を提供する。
【考案を実施するための最良の形態】
【００１３】
図９を参照すると、このＬＥＤ壁用プレート常夜灯は、前面パネル（１）と背面パネル（２）とで構成されるハウジングを有する。このパネルは所定形状を持たない。注文された仕様に応じて、矩形でも円形でも他の形状でもよい。前面および背面パネルの内側では、回路板（３）と透明フィルム（４）と保護用半透明フィルム（５）と白色フィルム（６）と金属製電力プラグ（７）とが、中で一緒にクランプされている。金属製プラグ（７）は回路板（３）に固定される。回路板（３）が前面パネル（１）と背面パネル（２）との間に固定された状態で、プラグは背面パネル（２）の下部分の２個の穴を通過する。
【００１４】
回路板（３）は、金属ポリエステル製被覆コンデンサ（８）と、２個の抵抗体（９，１０）と、１個のダイオード（１１）と、２個の発光ダイオード（１２，１３）とを含む。前面パネルの表面は、所定の寸法および形状のディスプレイ窓部を有し、この穴の所定寸法および形状と一致する透明プラスチックフィルムを含む。電流が金属製電力プラグ（７）を通り、発光ダイオード（１２，１３）を起動させるレベルまで１２０ボルト数低下させる回路構成へ流れると、光線が発せられる。この光線は透明フィルム（４）を通過して高速光線を発生させ、透明プラスチックフィルム（４）のために光線は均一に分散した発光となり、安全で信頼できる照明方法が得られる。
【００１５】
ＬＥＤ壁用プレート常夜灯は、何らかの公共事業体から提供されるＡＣ（交流）の壁コンセントから直接に電源を取ることができる。前面パネル（１）と背面パネル（２）の内側の回路板（３）を電気が通過すると、ＡＣから１２０ボルト数低下させ、発光ダイオードを起動させて照明が行われる。
【００１６】
ＬＥＤ光線が透明プラスチックフィルムを通過すると、長時間にわたって安定状態にあり天候条件に影響されない高速でクリアな光線が発生する。透明プラスチックフィルムにより、光線は均一に分散した発光となる。電気回路モジュールは、回路板と、金属状ポリエステルの被覆コンデンサと、２個の抵抗体と、１個のダイオードと、２個の発光ダイオードとを含む。
【００１７】
最低１００，０００光時を提供することがＬＥＤ（１２，１３）の寿命であり、そのためＬＥＤ壁用プレート常夜灯は、従来の常夜灯よりも比較的長時間使用できる。
【図面の簡単な説明】
【００１８】
【図１】本考案の正面図である。
【図２】本考案の側方断面図である。
【図３】本考案の上面図である。
【図４】本考案の底面図である。
【図５】本考案の背面図である。
【図６】本考案の側面図である。
【図７】本考案の斜視図である。
【図８】本考案の別の斜視図である。
【図９】本考案のアセンブリ構造図である。
【符号の説明】
【００１９】
１  前面パネル
２  背面パネル
３  回路板
４  透明フィルム
５  保護用半透明フィルム
６  白色フィルム
７  金属製電力プラグ
８  金属ポリエステル製被覆コンデンサ
９，１０  抵抗体
１１  ダイオード
１２，１３  発光ダイオード
【図１】
0003114280.tif 000003
【図２】
0003114280.tif 000004
【図３】
0003114280.tif 000005
【図４】
0003114280.tif 000006
【図５】
0003114280.tif 000007
【図６】
0003114280.tif 000008
【図７】
0003114280.tif 000009
【図８】
0003114280.tif 000010
【図９】
0003114280.tif 000011
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
前面パネルと背面パネルとで構成されるハウジングと、
前記ハウジングの少なくとも一部分を囲繞する所望の光線輪郭へＬＥＤ発光光線を集束および分散させるための光学アセンブリを含む保護用カバーと、
発光体としての少なくとも１個の発光ダイオード（ＬＥＤ）と、
複数のポリエステルカバーコンデンサと複数の抵抗体とを備える複数の回路板と、
前記回路板に固定されるとともに、該回路板が前記前面パネルと前記背面パネルとの間に固定された状態で該背面パネルの下部分の２個の保持部を通過する複数の金属製電力プラグと、
少なくとも１枚の透明フィルムと、少なくとも１枚の保護用半透明フィルムと、少なくとも１枚の白色フィルムとを備え、前記透明フィルムの前側に前記保護用半透明フィルムが配置され、前記透明フィルムの後側に前記白色フィルムが配置され、前記保護用半透明フィルムと前記透明フィルムと前記白色フィルムが、前記ハウジング内に収容されていることを特徴とするＬＥＤ壁用プレート常夜灯。
【請求項２】
前記前面パネルの表面が、所定の寸法および形状を持つディスプレイ窓部を有しており、該ディスプレイ窓部の所定の寸法および形状と一致する透明フィルムを含むことを特徴とする請求項１に記載のＬＥＤ壁用プレート常夜灯。
【請求項３】
電流が前記金属製電力プラグを通って、前記発光ダイオードを起動させるレベルまで流れると、光線が発せられ、該光線が前記透明フィルムを通過し、高速光線を発生させ、該透明フィルムによって該光線が均一に分散した発光となることを特徴とする請求項１に記載のＬＥＤ壁用プレート常夜灯。